(57)【要約】【課題】組付け時の電気的接続作業が容易な照明装置を提供する。【解決手段】半導体発光素子２２と、電源回路ユニット６０と、筐体１０と、端子台７０とを有する照明装置１である。電源回路ユニット６０は、回路基板６１と、回路基板６１に立設された導電性のコネクタ６４とを有する。筐体１０は、筒状であって、内部に電源回路ユニット６０を収容する。端子台７０は、筐体１０に固定された蓋体７５と、蓋体７５に固定され、外部電源線３とコネクタ６４との間の電気的接続を仲介する接続端子７１ｂとを有する。接続端子７１ｂは、コネクタ６４に接続されたコネクタ側接続端子部分７１ｂ１と外部電源線３に接続される外部電源線側接続端子部分７１ｂ２とを有する。コネクタ６４およびコネクタ側接続端子部分７１ｂ１の、一方は剛性を有し、端子台７０と電源回路ユニット６０との組付方向に沿って他方側に突出しており、他方は一方に弾性接触している。【選択図】図５
2015076123.tif 000002
【特許請求の範囲】
【請求項１】
半導体発光素子と、
回路基板および前記回路基板に立設された導電性のコネクタを有し、前記コネクタを介して受電した電力を、前記半導体発光素子を点灯させるための電力に変換する電源回路ユニットと、
筒状で、前記半導体発光素子からの光の主出射方向を下方とした場合に、前記半導体発光素子が下端に取り付けられ、前記電源回路ユニットを内部に収容する筐体と、
前記筐体に固定された蓋体および、前記蓋体に固定され、外部電力を配電する外部電源線と前記コネクタとの間の電気的接続を仲介する導電性の接続端子を有する端子台と
を有し、
前記接続端子は、前記コネクタに接続されたコネクタ側接続端子部分および、前記外部電源線に接続するための外部電源線側接続端子部分を有し、
前記コネクタおよび前記コネクタ側接続端子部分のうち、一方は、剛性を有し、前記端子台と前記電源回路ユニットとが組付けられる際の組付方向に沿って他方側に突出しており、前記他方は、前記一方に弾性接触している
照明装置。
【請求項２】
前記蓋体は、上面を有し、
前記上面には、開口が設けられており、
前記接続端子は、前記外部電源線側接続端子部分が前記上面の開口に臨んだ状態で、前記蓋体に固定されている
請求項１に記載の照明装置。
【請求項３】
前記蓋体は、上面および前記上面から下方に凹入する凹部または上下方向に貫通する貫通孔である接続用空間を有し、
前記接続用空間の側面には、開口が設けられており、
前記接続端子は、前記外部電源線側接続端子部分が前記側面の開口に臨んだ状態で、前記蓋体に固定されている
請求項１に記載の照明装置。
【請求項４】
前記蓋体は、前記電源回路ユニットを覆う態様で前記筐体の内部に収容されている、または、前記筐体の上端側開口を閉塞している
請求項１から３の何れか１項に記載の照明装置。
【請求項５】
前記接続端子は、前記外部電源線側接続端子部分と前記コネクタ側接続端子部分とが平面視において互いにずれた位置関係となる状態で、前記蓋体に固定されている
請求項１から４の何れか１項に記載の照明装置。
【請求項６】
前記外部電源線側接続端子部分および前記コネクタ側接続端子部分は、一体的に形成されている
請求項１から５の何れか１項に記載の照明装置。
【請求項７】
前記回路基板は、その周縁の一部が切り欠かれた切欠き部を有し、
前記蓋体は、下端が開口した有底筒状であって、その筒壁の一部が前記回路基板の前記切欠き部の形状と適合するように内側に凹入した凹入側面部分を有し、
前記回路基板の前記切欠き部と前記蓋体の前記凹入側面部分とが適合した状態において、前記コネクタと前記コネクタ側接続端子部分とは、平面視で重なり合う位置に配されている
請求項１から６の何れか１項に記載の照明装置。
【請求項８】
前記接続端子は、平面視において前記蓋体の中央部に固定されている
請求項１から７の何れか１項に記載の照明装置。
【請求項９】
前記一方は、柱状である
請求項１から８の何れか１項に記載の照明装置。
【請求項１０】
前記一方は、円柱状である
請求項９に記載の照明装置。
【請求項１１】
前記一方は、多角柱状である
請求項９に記載の照明装置。
【請求項１２】
前記一方は、板状である
請求項９に記載の照明装置。
【請求項１３】
前記一方は、柱軸に直交する平面による断面がＸ字状である
請求項９に記載の照明装置。
【請求項１４】
前記他方は、前記一方を挟持するように弾性接触している
請求項９から１３の何れか１項に記載の照明装置。
【請求項１５】
前記一方は、前記コネクタである
請求項１から１４の何れか１項に記載の照明装置。
【請求項１６】
前記一方は、前記コネクタ側接続端子部分である
請求項１から１４の何れか１項に記載の照明装置。
【発明の詳細な説明】
【技術分野】
【０００１】
本発明は、天井等に取り付けて使用される照明装置に関し、特に照明装置内部の電気的接続構造に関する。
【背景技術】
【０００２】
近年、光源として高発光効率かつ長寿命なＬＥＤ（Ｌｉｇｈｔ  Ｅｍｉｔｔｉｎｇ  Ｄｉｏｄｅ）などの半導体発光素子を用いた照明装置が普及しつつある。このような照明装置においては、半導体発光素子を点灯させるための電力を供給する電源回路ユニットが必要となる。
また、天井等に取り付けて使用される照明装置には、円筒状の筐体の下端側に光源が配置され、筐体内部における光源よりも上端側に電源回路ユニットが収容されて、電源回路ユニットと光源とが一体的に構成されたものが従来から知られている（例えば、特許文献１）。
【０００３】
このような照明装置においては、天井裏等に配設され、外部電力（商用電力）を配電するための外部電源線と電源回路ユニットとを接続する必要がある。施工業者等が外部電源線を接続する際には、筐体の上側の開口を閉塞する蓋が取り外され、内部の電源回路ユニットが露出した状態で外部電源線を電源回路ユニットに接続した後、再び蓋を被せて開口を塞ぐ方法が、従来採用されている。
【０００４】
上記の場合、外部電源線を接続する際に、電源回路ユニットが外部に露出しているため、電源回路ユニットを構成する電子部品に施工業者等が誤って触れて電子部品が損傷したり、異物が混入して電子部品の動作不良の原因となったりといった問題が発生する虞がある。また、安全性の面からも好ましくない。
そこで、蓋に速結端子等の接続端子を設けて端子台とし、接続端子を介して電源回路ユニットと外部電源線とを電気的に接続する構成が考えられる。このような構成の場合、外部電源線は蓋（端子台）に設けられた接続端子に接続すればよいため、蓋を取り外す必要が無い。
【先行技術文献】
【特許文献】
【０００５】
【特許文献１】特開２０１１−２４３５１０号公報
【発明の概要】
【発明が解決しようとする課題】
【０００６】
上記の構成の場合、組付けの際には、筐体内部において、接続端子と電源回路ユニットとを電気的に接続した後に、蓋が被せられることとなる。従って、組付け作業効率の向上を図るために、接続端子と電源回路ユニットとの電気的接続作業における効率の向上が求められている。
本発明は、上記の課題に鑑み、組付けの際の電気的接続作業の効率が向上した照明装置を提供することを目的とする。
【課題を解決するための手段】
【０００７】
本発明の一態様に係る照明装置は、半導体発光素子と、回路基板および前記回路基板に立設された導電性のコネクタを有し、前記コネクタを介して受電した電力を、前記半導体発光素子を点灯させるための電力に変換する電源回路ユニットと、筒状で、前記半導体発光素子からの光の主出射方向を下方とした場合に、前記半導体発光素子が下端に取り付けられ、前記電源回路ユニットを内部に収容する筐体と、前記筐体に固定された蓋体および、前記蓋体に固定され、外部電力を配電する外部電源線と前記コネクタとの間の電気的接続を仲介する導電性の接続端子を有する端子台とを有し、前記接続端子は、前記コネクタに接続されたコネクタ側接続端子部分および、前記外部電源線に接続するための外部電源線側接続端子部分を有し、前記コネクタおよび前記コネクタ側接続端子部分のうち、一方は、剛性を有し、前記端子台と前記電源回路ユニットとが組付けられる際の組付方向に沿って他方側に突出しており、前記他方は、前記一方に弾性接触していることを特徴とする。
【０００８】
また、本発明の別態様に係る照明装置は、前記蓋体が、上面を有し、前記上面には、開口が設けられており、前記接続端子は、前記外部電源線側接続端子部分が前記上面の開口に臨んだ状態で、前記蓋体に固定されていることを特徴とする。
また、本発明の別態様に係る照明装置は、前記蓋体が、上面および前記上面から下方に凹入する凹部または上下方向に貫通する貫通孔である接続用空間を有し、前記接続用空間の側面には、開口が設けられており、前記接続端子は、前記外部電源線側接続端子部分が前記側面の開口に臨んだ状態で、前記蓋体に固定されていることを特徴とする。
【０００９】
また、本発明の別態様に係る照明装置は、前記蓋体が、前記電源回路ユニットを覆う態様で前記筐体の内部に収容されている、または、前記筐体の上端側開口を閉塞していることを特徴とする。
また、本発明の別態様に係る照明装置は、前記接続端子が、前記外部電源線側接続端子部分と前記コネクタ側接続端子部分とが平面視において互いにずれた位置関係となる状態で、前記蓋体に固定されていることを特徴とする。
【００１０】
また、本発明の別態様に係る照明装置は、前記外部電源線側接続端子部分および前記コネクタ側接続端子部分が、一体的に形成されていることを特徴とする。
また、本発明の別態様に係る照明装置は、前記回路基板が、その周縁の一部が切り欠かれた切欠き部を有し、前記蓋体は、下端が開口した有底筒状であって、その筒壁の一部が前記回路基板の前記切欠き部の形状と適合するように内側に凹入した凹入側面部分を有し、前記回路基板の前記切欠き部と前記蓋体の前記凹入側面部分とが適合した状態において、前記コネクタと前記コネクタ側接続端子部分とは、平面視で重なり合う位置に配されていることを特徴とする。
【００１１】
また、本発明の別態様に係る照明装置は、前記接続端子が、平面視において前記蓋体の中央部に固定されていることを特徴とする。
また、本発明の別態様に係る照明装置は、前記一方が、柱状であることを特徴とする。
また、本発明の別態様に係る照明装置は、前記一方が、円柱状であることを特徴とする。
【００１２】
また、本発明の別態様に係る照明装置は、前記一方が、多角柱状であることを特徴とする。
また、本発明の別態様に係る照明装置は、前記一方が、板状であることを特徴とする。
また、本発明の別態様に係る照明装置は、前記一方が、柱軸に直交する平面による断面がＸ字状であることを特徴とする。
【００１３】
また、本発明の別態様に係る照明装置は、前記他方が、前記一方を挟持するように弾性接触していることを特徴とする。
また、本発明の別態様に係る照明装置は、前記一方が、前記コネクタであることを特徴とする。
また、本発明の別態様に係る照明装置は、前記一方が、前記コネクタ側接続端子部分であることを特徴とする。
【発明の効果】
【００１４】
本発明の一態様に係る照明装置は、コネクタおよびコネクタ側接続端子部分のうち、一方は、剛性を有し、端子台と電源回路ユニットとが組付けられる際の組付方向に沿って他方側に突出している。そして、他方は、一方に弾性接触している。このように、一方が剛性を有し、他方が一方に対して弾性的に接触することができるため、電源回路ユニットと端子台とを組付ける際に、一方と他方とを位置合わせして組付けるだけで電気的接続を行うことができ、作業が容易である。従って、組付けの際の電気的接続作業の効率の向上を図ることが可能である。
【００１５】
また、組付けられた状態において、他方は一方に対して弾性接触しているため、一方と他方との間の安定的な電気的接続を確保することが可能である。
【図面の簡単な説明】
【００１６】
【図１】実施の形態１に係る照明装置が天井板に取り付けられた状態を示す斜視図
【図２】実施の形態１に係る照明装置を示す一部分解斜視図であって、（ａ）は正面側から見た図、（ｂ）は背面側から見た図
【図３】実施の形態１に係る照明装置を正面側から見た分解斜視図
【図４】実施の形態１に係る照明装置を背面側から見た分解斜視図
【図５】実施の形態１に係る照明装置が天井板に取り付けられた状態を示す断面図
【図６】実施の形態１に係る照明装置におけるコネクタと接続端子との接続方法および、接続端子と外部電源線との接続方法を示す斜視断面図であって、（ａ）はコネクタおよび外部電源線が接続端子と接続される前の状態を示す図、（ｂ）はコネクタおよび外部電源線が接続端子と接続された状態を示す図
【図７】実施の形態２に係る照明装置を示す一部分解斜視図であって、（ａ）は正面側から見た図、（ｂ）は背面側から見た図
【図８】実施の形態２に係る照明装置が天井板に取り付けられた状態を示す断面図
【図９】実施の形態２に係る照明装置におけるコネクタと接続端子との接続方法を示す一部切欠き斜視図であって、（ａ）はコネクタが接続端子と接続される前の状態を示す図、（ｂ）はコネクタが接続端子と接続された状態を示す図
【図１０】実施の形態２に係る照明装置における外部電源線と接続端子との接続方法を示す一部切欠き斜視図であって、（ａ）は外部電源線が接続端子と接続される前の状態を示す図、（ｂ）は外部電源線が接続端子と接続された状態を示す図
【図１１】（ａ）は変形例１に係るコネクタを示す斜視図、（ｂ）は変形例２に係るコネクタを示す斜視図、（ｃ）は変形例３に係るコネクタを示す斜視図、（ｄ）は変形例４に係るコネクタを示す斜視図、（ｅ）は変形例５に係るコネクタを示す斜視図
【発明を実施するための形態】
【００１７】
＜本発明の構成に至った経緯＞
筐体内においてコネクタと接続端子とを、例えばリード線を用いて接続する場合、リード線が撓んで接続しづらい場合があり、組み付けの際の作業効率低下の要因となっている。
そこで、作業効率向上のために、簡単な作業でコネクタと接続端子とを接続することができる構成を備えた照明装置が望まれている。
【００１８】
以下、本発明の一態様に係る照明装置について、図面を参照しながら説明する。なお、各図面は模式図であり、各図面における部材の縮尺は、実際のものとは異なる場合がある。
＜実施の形態１＞
１．照明装置１の構成
照明装置１の構成について、図１から図５を用いて説明する。図１は、照明装置１の外観を示す斜視図である。図２（ａ）は、照明装置１を示す正面側から見た一部分解斜視図である。図２（ｂ）は、照明装置１を示す背面側から見た一部分解斜視図である。図３は、照明装置１を示す正面側から見た分解斜視図である。図４は、照明装置１を示す背面側から見た分解斜視図である。図５は、照明装置１を示す断面図である。
【００１９】
図１および図５に示すとおり、照明装置１は、例えば、天井２に設置されるシーリングライトであり、外部電源線３によって直接商用交流電源と接続される電源回路内蔵型の照明装置である。ただし、照明装置１の構成を、ダウンライトなどの建築物用照明装置に適用してもよいし、バックライトなどの建築物用照明装置以外の照明装置に適用してもよい。
【００２０】
なお、以下の説明においては、照明装置１から見て天井２側を上側、その反対側を下側とする。したがって、照明装置１の上側の面が背面、下側の面が正面となる。照明装置１からの光の主出射方向は下方である。
図３および図４に示すとおり、照明装置１は、例えば、筐体１０、発光ユニット２０、反射板３０、導光板４０、カバー５０、電源回路ユニット６０、端子台７０、取付部材８０を備える。そして、筐体１０、発光ユニット２０、反射板３０、導光板４０、カバー５０、および電源回路ユニット６０により装置本体４が構成されている（図２（ａ）および図２（ｂ）参照）。
【００２１】
（１）各部材の構成
以下、各部材の構成について説明する。
ａ．筐体１０
筐体１０は、例えば、アルミダイキャストなどの金属材料からなり、円形平板状の基台部１１と、基台部１１の上側主面１１ａ上から円筒状に立ち上がる回路収容部１２とを有する。回路収容部１２は、上端に上端側開口１２ａを有している。
【００２２】
基台部１１は、その中央に形成された円形の開口部１３と、間隔をあけて開口部１３を挟む位置に形成された小ねじ孔１４と、開口部１３を中心とする正三角形の頂点に相当する位置に形成された貫通孔１５とを有する。また、基台部１１の上側主面１１ａ上には、開口部１３を中心に各貫通孔１５から約３０度回転した位置にボス１６が形成されている。小ねじ孔１４、貫通孔１５及びボス１６はすべて回路収容部１２の内部側に配置されており、照明装置１の組立後の状態では、これらが露出しないようになっている。
【００２３】
回路収容部１２には、円筒の側面に相当する外周面１２ｂの上下方向中央付近において外方へ突出して円環状をなす外鍔部１７が形成されている。また、回路収容部１２の内部には、上側主面１１ａ上に、例えばグラスウール、セラミックファイバー、フェノールフォーム、ウレタンフォームなどの繊維系断熱材や発泡系断熱材などからなる断熱板１８が配置されている。断熱板１８は、その中央に円形の開口部を有する平板状であって、上側主面１１ａを覆いながら貫通孔１５及びボス１６を露出するよう、例えば六角形となっている。断熱板１８はまた、電気絶縁性を有する材料から形成されており、基台部１１と電源回路ユニット６０との間の電気的絶縁性を確保する役割も果たしている。
【００２４】
ｂ．発光ユニット２０
発光ユニット２０は、基板２１と、複数の発光部（半導体発光素子）２２と、電源端子２３とを有する。
基板２１は、基台部１１より小さく、回路収容部１２の外径より大きい直径を有する円形平板状であって、例えば、セラミックや熱伝導性樹脂などからなる電気絶縁層に、アルミや銅などからなる金属層をパターニングしたものである。金属層は、各発光部２２と電源端子２３を電気的に接続する配線、各発光部２２が発する光を効率良く照明装置１の正面側へ導くための光反射部、各発光部２２が発する熱を効率良く発散させるための放熱部などの役割を持ち、その役割に適した材料がそれぞれ必要な箇所にパターニングされている。また、基板２１は、基台部１１に対応して、その中央に形成された円形の開口部２４と、小ねじ孔１４に対応する位置に形成された小貫通孔２５と、貫通孔１５に対応する位置に形成された貫通孔２６とを有する。
【００２５】
発光部２２は、半導体発光素子を光源とするものであって、例えば白色光を発する表面実装型のＬＥＤである。また、発光部２２は、複数存在し、基板２１の下側主面上において円環状に配置されている。さらに、各発光部２２は、その光の主出射方向が、下側、すなわち照明装置１の正面側となるように、基板２１に実装されている。
電源端子２３は、各発光部２２に供給する電力の入力部であり、例えばソケットのように電源線を着脱可能とするものであってもよいし、例えば金属ランドのように電源線をはんだ付けするものであってもよい。電源端子２３は、基板２１の下側主面上の開口部２４付近に配置されている。
【００２６】
ｃ．反射板３０
反射板３０は、基台部１１より小さく、基板２１より大きい直径を有する円形平板状であって、例えば、高反射ポリカーボネート樹脂、高反射ナイロン樹脂、高反射ポリブチレンテレフタレート樹脂、高反射発泡樹脂などの光反射率の高い材料からなる。反射板３０は、その中央に形成された小孔３１と、各発光部２２に対応する位置に形成された窓孔３２と、窓孔３２を含んで円環状に上側へ凹む窪み部３３と、周縁部において小孔３１を中心とする略正六角形の頂点に相当する位置に形成された貫通孔３４とを有する。
【００２７】
また、反射板３０の上側主面には、小孔３１を取り囲むように開口部２４の開口端に対応する位置にある突起部３５と、貫通孔１５に対応する位置にあるボス３６と、貫通孔３４同士の間を反射板３０の外周に沿って円弧状に走る隆起部３７とが形成されている。隆起部３７がなす円弧の直径は基板２１の直径とほぼ同じである。
なお、反射板３０は、少なくとも窓孔３２の側面及び窪み部３３を含む下側主面が光反射率の高い材料で構成されていればよく、突起部３５、ボス３６、隆起部３７及び上側主面は、光反射率の低い樹脂などの材料で構成されていてもよい。
【００２８】
ｄ．導光板４０
導光板４０は、反射板３０と同等の大きさを持つ円形平板状であって、例えば、アクリル樹脂、ポリカーボネート樹脂、ポリスチレン樹脂、ガラスなどの透光性材料からなる。導光板４０は、発光部２２がなす円環に対応する位置において上側へ凹む窪み部４１と、貫通孔３４に対応する位置に形成された貫通孔４２とを有する。また、導光板４０の上側主面４０ａの中央には、突起部４３が形成されている。
【００２９】
ｅ．カバー５０
カバー５０は、下側に凹んだドーム状であって、例えば、シリコーン樹脂、アクリル樹脂、ポリカーボネート樹脂、ガラスなどの透光性材料からなる。カバー５０の上面側には、貫通孔３４に対応する位置に突起部５１が形成されている。カバー５０の外径は、基台部１１の直径とほぼ同一である。
【００３０】
ｆ．電源回路ユニット６０
電源回路ユニット６０は、回路基板６１、回路部品６２、リード線６３、コネクタ６４などを有する。
回路基板６１は、その直径が回路収容部１２の内径よりも小さい略円形平板状であって、例えば、紙フェノールやガラスエポキシなどの電気絶縁性材料からなる。回路基板６１の中央には、略半円形の開口部６１ａが形成されている。また、回路基板６１には、その周縁部分の一部を直線的に切り取ったような切欠き部６１ｂが形成されている。回路基板６１には、金属などの導電性材料でパターニングされた配線が形成されており、この配線は、回路部品６２、リード線６３及びコネクタ６４を電気的に接続している。
【００３１】
回路部品６２は、例えば、制御用ＩＣ、トランジスタ、ダイオード、抵抗、コイル、コンデンサなどの電子部品であって、回路基板６１の両主面上に実装されている。なお、図２（ｂ），図３，図４，図５においては、一部の回路部品６２にのみ符号を付している。以下、実施の形態２においても同様である。
リード線６３は、発光ユニット２０の電源端子２３に接続されて発光ユニット２０と電源回路ユニット６０とを電気的に接続するものであり、その先端は、電源端子２３の種類に応じて、例えばプラグや被覆からむき出した導線などになっている。
【００３２】
コネクタ６４は、電源回路ユニット６０に供給する電力の入力部であり、導電性の材料により形成され、例えば四角柱状のピンである。コネクタ６４を形成する導電性の材料としては、例えば、銅などの金属やカーボンなどを用いることができる。コネクタ６４は、回路基板６１に一対立設されている。
ｇ．端子台７０
端子台７０は、有底円筒状であって、円形平板状の底面部７０ａと、底面部７０ａの下側主面上から円筒状に立ち上がる側面部７０ｂと、底面部７０ａの中心部分を貫通する円筒状の端子部７１とを有する。端子台７０は、例えば、セラミックや樹脂などの電気絶縁性材料からなり、電源回路ユニット６０を覆うようにして筐体１０の回路収容部１２内に収容されている。
【００３３】
底面部７０ａには、ボス１６に対応する位置にある貫通孔７２が形成されている。
側面部７０ｂには、筒の内側に突出する爪部７３が形成されている。また、側面部７０ｂの一部には、内側に直線的に凹入したような形状の凹入側面部分７０ｂ１が形成されており、凹入側面部分７０ｂ１の一部は切り欠かれて切欠き部分７０ｂ２が形成されている。凹入側面部分７０ｂ１の形状は、回路基板６１の切欠き部６１ｂの形状と対応しており、切欠き部分７０ｂ２は、リード線６３に対応した位置に形成されている。
【００３４】
端子部７１は、セラミックや樹脂などの電気絶縁性材料により形成された円筒状の接続端子保持部分７１ａと、銅や鉄といった金属等の導電性の材料から形成され、接続端子保持部分７１ａの内部に保持された接続端子７１ｂとからなる。接続端子７１ｂは、コネクタ側接続端子部分７１ｂ１、外部電源線側接続端子部分７１ｂ２、およびコネクタ側接続端子部分７１ｂ１と外部電源線側接続端子部分７１ｂ２とを連結している連結部分７１ｂ３から一体的に構成されている。
【００３５】
端子台７０の接続端子７１ｂ以外の部分、即ち、底面部７０ａ、側面部７０ｂ、および接続端子保持部分７１ａにより、蓋体７５が構成される。蓋体７５の上面７５ａは、底面部７０ａの上面７０ａ１および端子部７１の上面７１ａ２からなる。
図５に示すように、コネクタ６４は、端子部７１内部において接続端子７１ｂのコネクタ側接続端子部分７１ｂ１と接触して電気的に接続されている。また、外部電源線３の先端部分３ｂ１は、端子部７１内部において接続端子７１ｂの外部電源線側接続端子部分７１ｂ２と接触して電気的に接続されている。これにより、コネクタ６４と外部電源線３とが接続端子７１ｂを介して電気的に接続されている。
【００３６】
なお、端子部７１の構成、コネクタ６４と接続端子７１ｂとの電気的接続方法、外部電源線３と接続端子７１ｂとの電気接続方法については、詳しくは後述する。
また、接続端子保持部分７１ａの下側の先端部分には、略半円環状の突出部７１ａ３が形成されている。
ここで、電源回路ユニット６０は、端子台７０内に収容され、端子台７０は、回路収容部１２内に収容されている。
【００３７】
ｈ．取付部材８０
取付部材８０は、上側に円形平板状の底部を有し、側部が円筒状である有底円筒状であって、例えば、アルミニウムや鉄のような金属材料、セラミック又は熱伝導性を有する樹脂材料からなる。取付部材８０は、その底部中央に形成された円形の開口部８１と、底部において間隔をあけて開口部８１を挟む位置に形成された貫通孔８２と、側部の内周面の上下方向中央付近において内方へ突出して円環状をなす内鍔部８３とを有する。また、取付部材８０の内径は、回路収容部１２の外径より大きい。
【００３８】
以上、各部材の構成を説明したが、上記構成はあくまで照明装置１の一例であって、これに限られない。照明装置１では、上記各部材について、追加、変更、削除を適宜行うことが可能であり、例えば、各部材中の開口や突起などの数又は位置の変更、放熱部材・補強部材などの追加、反射板３０や導光板４０などの削除を行ってもよい。また、複数の部材を一体化してもよく、例えば、導光板４０とカバー５０とを一体化してもよいし、筐体１０上に各発光部２２と電源回路ユニット６０とが直接配置された構成などであってもよい。
【００３９】
ｉ．外部電源線３
外部電源線３は、照明装置１を構成する部材ではないが、本実施の形態に係る照明装置１の構成についての説明において重要であるので、ここでその構成について説明する。
外部電源線３は、天井裏などに配設され、商用外部電力を照明装置や電気機器等に個別に配電するための電線である。外部電源線３は、可撓性を有する一本の線として形成された外部電源線本体部３ａと、その先端の二股に分かれた部分である二股部３ｂとで構成されている。二股部３ｂの先端部分３ｂ１は、剛性を有する銅などの金属製のピンにより構成されている。二股部３ｂの先端部分３ｂ１以外の部分は、可撓性を有する。外部電源線３の先端部分３ｂ１以外の部分は、樹脂などの電気絶縁性の被覆部材により被覆されている。
【００４０】
（２）照明装置１の組立及び設置方法
以下、照明装置１の組立及び設置方法について説明する。ただし、以下は一例であって、照明装置１の組立及び設置方法はこれに限定されない。
まず、基台部１１の下側主面１１ｂ上に、各発光部２２が露出するように発光ユニット２０を積載し、発光ユニット２０側から小貫通孔２５に挿入した小ねじ２７を、小ねじ孔１４に螺合する。これによって、発光ユニット２０が基台部１１の下側主面１１ｂ上に固定される。また、このとき、下側主面１１ｂには、環状に複数の発光部２２が配置される。なお、基板２１の直径は基台部１１の直径よりも小さいため、発光ユニット２０の周囲には下側主面１１ｂが露出する。
【００４１】
次に、リード線６３を回路収容部１２側から断熱板１８の開口部、開口部１３、開口部２４の順に挿入し、電源端子２３に接続する。これにより、各発光部２２と電源回路ユニット６０とが電気的に接続される。また、このとき、電源回路ユニット６０と、基台部１１の上側主面１１ａとの間に断熱板１８が配置される。
次に、導光板４０の窪み部４１、突起部４３を、それぞれ反射板３０の窪み部３３、小孔３１に挿入した状態で、カバー５０の突起部５１を導光板４０側から、貫通孔４２及び貫通孔３４に挿入する。そして、貫通孔３４から突出する突起部５１の先端をレーザ光などによって、貫通孔３４から抜けない形状に塑性変形させる。これによって、反射板３０及び導光板４０がカバー５０の内部に固定される。なお、導光板４０は、反射板３０に挿入された窪み部４１と突起部４３とによって、反射板３０との位置関係を固定した状態で、反射板３０に対して回転できる。したがって、突起部５１を挿入する際の貫通孔３４と貫通孔４２の位置合わせが容易である。
【００４２】
次に、隆起部３７で発光ユニット２０を基台部１１に押えつけた状態で、回路収容部１２側から貫通孔１５及び貫通孔２６に挿入したねじ１９を、ボス３６に螺合する。これにより、反射板３０、導光板４０及びカバー５０が筐体１０に固定される。また、このとき、導光板４０は、基台部１１の下側主面１１ｂを覆う位置に配置される。さらに、カバー５０の側面の先端が、発光ユニット２０の周囲から露出する下側主面１１ｂに密着することで、発光ユニット２０、反射板３０、導光板４０は、カバー５０により覆われて外部に露出しない。
【００４３】
なお、反射板３０は、開口部２４の端部に沿う位置にある突起部３５を有しており、発光ユニット２０との位置関係を固定した状態で発光ユニット２０に対して回転することができるため、貫通孔１５及び貫通孔２６と、ボス３６との位置合わせは容易である。また、このとき、反射板３０の各窓孔３２から各発光部２２が露出するため、各発光部２２の出射する光は反射板３０に妨げられない。さらに、窓孔３２の側面が基板２１の下側主面と接しながら、各発光部２２を囲繞することで、各発光部２２の発した光が発光ユニット２０と反射板３０との間に入り込むことを防いでいる。
【００４４】
また、ねじ１９のボス３６への螺合の際、カバー５０の側面と反射板３０の隆起部３７との間にパッキン５２を配置し、基台部１１と、反射板３０及びカバー５０との間の空間を埋めることで、筐体１０とカバー５０との密着性を向上させることができる（図２参照）。この構成により、カバー５０内部へのほこり、虫、水分などの異物の侵入を防止することができる。なお、パッキン５２は、伸縮性を有し撥水性を有する材料、例えばシリコーンなどの樹脂からなることが好ましい。
【００４５】
次に、電源回路ユニット６０と端子台７０との組み付け方法について説明する。回路基板６１の切欠き部６１ｂが端子台７０の凹入側面部分７０ｂ１に嵌る向きに、電源回路ユニット６０と端子台７０とを対向配置させる。そして、突出部７１ａ３を開口部６１ａに挿入しつつ、回路基板６１の周部を側面部７０ｂの内側に嵌め込み、回路基板６１の周部と爪部７３とを嵌合させる。このとき、コネクタ６４がコネクタ側接続端子孔７１ａ１ａに挿入される。上記のように、回路基板６１の切欠き部６１ｂが端子台７０の凹入側面部分７０ｂ１に嵌る向きにした場合に、コネクタ６４とコネクタ側接続端子孔７１ａ１ａとが一致する位置にそれぞれ配設されている。
【００４６】
これにより、電源回路ユニット６０が端子台７０の内部に固定されると共に、コネクタ６４と端子部７１とが電気的に接続される。またこのとき、切欠き部分７０ｂ２内にリード線６３が位置している。これにより、リード線６３が側面部７０ｂにより押し曲げられて、リード線６３と回路基板６１との接続部分に不必要な応力がかかることによる当該接続部分の損傷を防止することができる。コネクタ６４と端子部７１との電気的接続については、詳しくは後述する。
【００４７】
なお、電源回路ユニット６０と端子台７０との位置決めは、上記のように、回路基板６１に形成された切欠き部６１ｂと端子台７０の凹入側面部分７０ｂ１とによって行われる構成に限定されない。例えば、回路基板６１の周部に突起が形成され、端子台７０の側面部７０ｂに突起に対応した切り欠きやノッチ、溝などが形成されていてもよいし、側面部７０ｂに内方に突出するレール状の突起が形成され、回路基板６１の周部に突起に対応する切欠きやノッチが形成されていてもよい。
【００４８】
次に、端子台７０の底面部７０ａが上側となるように、端子台７０の側面部７０ｂを回路収容部１２の内部に挿入し、底面部７０ａ側から貫通孔７２に挿入したねじ７４を、ボス１６に螺合する。これにより、端子台７０が筐体１０の回路収容部１２内に固定され、電源回路ユニット６０が回路収容部１２に収容される。
なお、電源回路ユニット６０が回路収容部１２に収容されるとは、電源回路ユニット６０の主要部が、回路収容部１２の内部側に位置することを意味する。したがって、電源回路ユニット６０の一部、例えば回路部品６２のうち挿入型筐体を有するなど背が高い部品、リード線６３、コネクタ６４などが、回路収容部１２から上側にはみ出ていてもよい。また、端子台７０の底面部７０ａが回路収容部１２より上側に露出していてもよい。
【００４９】
次に、外部電源線３を開口部８１から露出させた状態で、取付部材８０の底部を天井２に密着させ、下側から貫通孔８２に挿入した木ねじ８４によって、取付部材８０を天井２の所定の位置に固定する。さらに、開口部８１から露出する外部電源線３の先端部分３ｂ１を底面部７０ａ側から端子部７１の外部電源線側接続端子孔７１ａ２ａに挿入する。これにより、端子部７１を通じて、外部電源線３と電源回路ユニット６０とが電気的に接続される。これについても、詳しくは後述する。
【００５０】
続いて、筐体１０を下側から取付部材８０に挿入し、筐体１０の外鍔部１７と、取付部材８０の内鍔部８３とを嵌合させ（図５参照）、筐体１０を天井２の所定の位置に固定する。このとき、取付部材８０により回路収容部１２の上端側開口１２ａが閉塞される。
外鍔部１７と内鍔部８３との嵌合方法は、例えば、回路収容部１２と取付部材８０とのいずれか又は両方を弾性変形させることによってもよいし、外鍔部１７と内鍔部８３とをねじ状に形成して螺合させてもよい。
【００５１】
以上の方法によって、照明装置１の組立・設置が完了する。
２．電気的接続
続いて、コネクタ６４および端子部７１の構成、コネクタ６４と端子部７１との電気的接続方法、外部電源線３と端子部７１との電気的接続方法について、以下により詳しく説明する。
【００５２】
図６（ａ）は、コネクタ６４および外部電源線３が端子部７１に接続される前の状態を示す、照明装置１の要部拡大断面図である。図６（ｂ）は、コネクタ６４および外部電源線３が端子部７１に接続された状態を示す、照明装置１の要部拡大断面図である。なお、図６（ａ），（ｂ）においては、わかりやすく図示するために、端子台７０、電源回路ユニット６０、および外部電源線３のみを示し、筐体１０、取付部材８０、および発光ユニット２０などのその他の構成部材については図示を省略している。
【００５３】
図６（ａ）に示すように、コネクタ６４は、金属等の剛性を有する導電性の材料からなる四角柱状のピンであり、電源回路ユニット６０と端子台７０との組み付け方向（図６（ａ）において矢印Ａで示す方向であり、上下方向またはＺ軸方向）に沿って上側（端子台７０側）に突出する態様で、回路基板６１に一対立設されている。コネクタ６４が形成される金属材料としては、例えば、銅やニッケル等を用いることができる。コネクタ６４は、回路基板６１上に設けられたコネクタベース６５および回路基板６１を貫通して設けられている。コネクタベース６５は、コネクタ６４の抜けや倒れを防止するための補強部材としての機能を果たすものであり、樹脂等の電気絶縁性の材料からなる。本実施の形態においては、コネクタ６４は、回路基板６１を貫通して設けられているが、これに限られない。コネクタ６４が、回路基板を貫通しないで、回路基板６１上に立設されていてもよい。また、コネクタベース６５を備えない構成としてもよい。
【００５４】
端子部７１は、樹脂などの電気絶縁性の材料からなる円筒状の接続端子保持部分７１ａと、接続端子保持部分７１ａに保持された接続端子７１ｂとからなる。接続端子保持部分７１ａは、下面７１ａ１に設けられた開口であるコネクタ側接続端子孔７１ａ１ａと、上面７１ａ２に設けられた開口である外部電源線側接続端子孔７１ａ２ａとを有する。
なお、本実施の形態においては、端子部７１の上端部が底面部７０ａよりも上方に突出しているが、これに限られない。端子部７１の上端部が、底面部７０ａよりも突出しておらず、端子部７１の上面７１ａ２が底面部７０ａの上面７０ａ１と面一であってもよいし、上面７０ａ１よりも下方に凹入していてもよい。
【００５５】
接続端子７１ｂは、金属等の導電性の材料からなり、接続端子保持部分７１ａの内部空間７１ａ４内に保持されている。内部空間７１ａ４は、コネクタ側接続端子孔７１ａ１ａおよび外部電源線側接続端子孔７１ａ２ａを介して、外部の空間と連通している。接続端子７１ｂは、コネクタ側接続端子孔７１ａ１ａに臨む位置に保持された部分であるコネクタ側接続端子部分７１ｂ１、外部電源線側接続端子孔７１ａ２ａに臨む位置に保持された部分である外部電源線側接続端子部分７１ｂ２、およびコネクタ側接続端子部分７１ｂ１と外部電源線側接続端子部分７１ｂ２とを連結する連結部分７１ｂ３からなり、これらは一体的に形成されている。本実施の形態においては、端子部７１は、一対の接続端子７１ｂを有する。各接続端子７１ｂは、例えば銅板等の１枚の金属板を加工して形成されている。
【００５６】
コネクタ側接続端子部分７１ｂ１は、弾性を有する板ばね状のコネクタ側板ばね領域７１ｂ１ａおよび、コネクタ側板ばね領域７１ｂ１ａに対向配置されたコネクタ側受け領域７１ｂ１ｂを有する。本実施の形態においては、コネクタ側受け領域７１ｂ１ｂも板状の金属板を曲げて板ばね状に形成されており、弾性を有する。
また、外部電源線側接続端子部分７１ｂ２は、弾性を有する板ばね状の外部電源線側板ばね領域７１ｂ２ａおよび、外部電源線側板ばね領域７１ｂ２ａに対向配置された外部電源線側受け領域７１ｂ２ｂを有する。
【００５７】
図６（ａ）に示すように、コネクタ６４および外部電源線３の先端部分３ｂ１が挿入されていない状態においては、外部からコネクタ側接続端子孔７１ａ１ａをまっすぐ覗き込んだ場合に、コネクタ側板ばね領域７１ｂ１ａの少なくとも一部がコネクタ側接続端子孔７１ａ１ａにはみ出して見えるようになっている。また、外部から外部電源線側接続端子孔７１ａ２ａをまっすぐ覗き込んだ場合に、外部電源線側板ばね領域７１ｂ２ａの少なくとも一部が外部電源線側接続端子孔７１ａ２ａにはみ出して見えるようになっている。
【００５８】
ここで、接続端子７１ｂが開口（例えば、コネクタ側接続端子孔７１ａ１ａおよび外部電源線側接続端子孔７１ａ２ａ）に「臨む」とは、このように、外部から開口をまっすぐ覗きこんだ場合に、接続端子７１ｂの少なくとも一部が開口にはみ出して見える状態を指す意味で用いている。以下、実施の形態２においても、同様である。
そして、電源回路ユニット６０と端子台７０とが組み付けられる際に、コネクタ６４がコネクタ側接続端子孔７１ａ１ａから端子部７１内部に挿入されると、図６（ｂ）に示すように、コネクタ６４が、コネクタ側接続端子部分７１ｂ１と接触し、双方が電気的に接続される。このとき、コネクタ６４が、コネクタ側接続端子部分７１ｂ１のコネクタ側板ばね領域７１ｂ１ａとコネクタ側受け領域７１ｂ１ｂとの間に、コネクタ側板ばね領域７１ｂ１ａを押しのけるように挿入されるため、コネクタ側板ばね領域７１ｂ１ａは、自身の弾性力によりコネクタ６４に押圧されて接触している（即ち、弾性接触している）。これにより、コネクタ６４とコネクタ側接続端子部分７１ｂ１との接触がより確実なものとなり、双方の電気的接続をより確実なものとすることができる。また、このとき、コネクタ側板ばね領域７１ｂ１ａとコネクタ側受け領域７１ｂ１ｂとにより、コネクタ６４が挟持された状態となっている。
【００５９】
なお、本実施の形態においては、コネクタ側受け領域７１ｂ１ｂは、弾性を有しているが、これに限られず、コネクタ側板ばね領域７１ｂ１ａが弾性を有していれば、コネクタ側受け領域７１ｂ１ｂは弾性を有していなくてもよい。
外部電源線３の先端部分３ｂ１が外部電源線側接続端子孔７１ａ２ａから端子部７１内部に挿入されると、図６（ｂ）に示すように、先端部分３ｂ１が外部電源線側接続端子部分７１ｂ２と接触し、双方が電気的に接続される。このとき、コネクタ６４の場合と同様に、先端部分３ｂ１が、外部電源線側接続端子部分７１ｂ２の外部電源線側板ばね領域７１ｂ２ａと外部電源線側受け領域７１ｂ２ｂとの間に、外部電源線側板ばね領域７１ｂ２ａを押しのけるように挿入されるため、外部電源線側板ばね領域７１ｂ２ａは、自身の弾性力により先端部分３ｂ１に押圧されて弾性接触している。これにより、外部電源線側接続端子部分７１ｂ２と先端部分３ｂ１との電気的接続をより確実なものとすることができる。また、このとき、外部電源線側板ばね領域７１ｂ２ａと外部電源線側受け領域７１ｂ２ｂとにより、先端部分３ｂ１が挟持された状態となっている。なお、外部電源線側受け領域７１ｂ２ｂが弾性を有してもよい。
【００６０】
このようにして、接続端子７１ｂを介して、外部電源線３とコネクタ６４とが電気的に接続される。
３．得られる効果
以上説明したように、本実施の形態に係る照明装置１の構成は、次のようにまとめることができる。即ち、照明装置１は、半導体発光素子２２と、電源回路ユニット６０と、筐体１０と、端子台７０とを有する。電源回路ユニット６０は、回路基板６１と、回路基板６１に立設された導電性のコネクタ６４とを有し、コネクタ６４を介して受電した電力を、半導体発光素子２２を点灯させるための電力に変換する。筐体１０は、筒状であって、半導体発光素子２２からの光の主出射方向を下方とした場合に、半導体発光素子が筐体１０の下端に取り付けられ、電源回路ユニット６０が筐体１０の内部に収容される。端子台７０は、筐体１０に固定された蓋体７５と、外部電源を配電する外部電源線３とコネクタ６４との間の電気的接続を仲介する接続端子７１ｂとを有する。接続端子７１ｂは蓋体７５に固定されており、コネクタ６４に接続されたコネクタ側接続端子部分７１ｂ１と外部電源線３に接続される外部電源線側接続端子部分７１ｂ２とを有する。コネクタ６４およびコネクタ側接続端子部分７１ｂ１の、一方は剛性を有し、端子台７０と電源回路ユニット６０との組付方向に沿って他方側に突出しており、他方は一方に弾性接触している。
【００６１】
本実施の形態に係る照明装置１の構成においては、コネクタ６４は、剛性を有し、端子台７０と電源回路ユニット６０との組付方向に沿って端子台側に突出している。具体的には、実施の形態１に係るコネクタ６４は、銅などの金属材料からなる剛性および導電性を有するピンであり、回路基板６１上に立設されている。そして、電源回路ユニット６０と端子台７０とを組付ける際に、コネクタ６４がコネクタ側接続端子孔７１ａ１ａに差し込まれると、コネクタ６４とコネクタ側接続端子部分７１ｂ１とが弾性接触し、コネクタ６４と接続端子７１ｂとの電気的接続が行われる。これにより、リード線などを用いて電源回路ユニットと接続端子とを接続する従来の場合と比較して、電気的接続作業が容易であり、作業効率の向上を図ることが可能である。
【００６２】
また、リード線などを用いて接続する場合、リード線が短すぎると作業がしづらいので、リード線にはある程度の長さが必要である。従ってこの場合、接続後のリード線は、曲げられた状態で筐体１０の回路収容部１２内に収容されているが、回路収容部１２内にそのための収容スペースが必要であるため、照明装置の小型化の阻害要因となっている。
本実施の形態の構成によると、リード線を収容するためのスペースが必要ないため、その分、照明装置の小型化に資することができる。
【００６３】
また、本実施の形態に係る照明装置１の構成においては、蓋体７５は、上面７５ａを有し、上面７５ａには、開口である外部電源線側接続端子孔７１ａ２ａが設けられていてもよい。そして、接続端子７１ｂは、外部電源線側接続端子部分７１ｂ２が上面７５ａの開口である外部電源線側接続端子孔７１ａ２ａに臨んだ状態で、蓋体７５に固定されていてもよい。
【００６４】
上記のような構成にすると、外部電源線側接続端子孔７１ａ２ａは、蓋体７５の上面７５ａに設けられており、上方に向けて開口している。従って、外部電源線３の先端部分３ｂ１を上から外部電源線側接続端子孔７１ａ２ａに差し込むことができる。また、接続端子７１ｂの外部電源線側接続端子部分７１ｂ２が外部電源線側接続端子孔７１ａ２ａに臨んだ状態で、蓋体７５に固定されている。従って、先端部分３ｂ１が外部電源線側接続端子孔７１ａ２ａに差し込まれると、外部電源線側接続端子部分７１ｂ２が先端部分３ｂ１と接触し、双方間の電気的接続がなされる。これにより、先端部分３ｂ１を上から外部電源線側接続端子孔７１ａ２ａに差し込むだけで、接続端子７１ｂと外部電源線３との電気的接続を容易に行うことができる。
【００６５】
また、接続端子７１ｂは、外部電源線側接続端子部分７１ｂ２とコネクタ側接続端子部分７１ｂ１とが平面視において互いにずれた位置関係となる状態で、蓋体７５に固定されていてもよい。本実施の形態に係る照明装置１においては、具体的には、図６（ａ），（ｂ）に示すように、コネクタ側接続端子部分７１ｂ１と外部電源線側接続端子部分７１ｂ２とは、Ｘ軸方向において互いにずれた位置に配されている。上記のような構成にすると、外部電源線３の先端部分３ｂ１とコネクタ６４とが差し込まれた際に、互いにぶつかり合うことが無いため、これらが同軸上に直列に配される場合と比較して、端子部７１の長さ（上下方向（Ｚ軸方向）の長さ）を低減することができる。即ち、端子台７０の厚さ（上下方向（Ｚ軸方向）の長さ）を低減して、照明装置１全体の薄型化に資することができる。
【００６６】
なお、コネクタ側接続端子部分７１ｂ１と外部電源線側接続端子部分７１ｂ２とのずれは、Ｘ軸方向に限られず、平面視において双方がずれた位置に配されていれば、何れの方向にずれていてもよい。
＜実施の形態２＞
実施の形態１においては、外部電源線３の先端部分３ｂ１は、上下方向に沿った方向に挿入されて接続される構成について説明した。しかし、外部電源線３の接続態様については、これに限られない。以下、実施の形態２に係る照明装置１００について、図面を参照して詳細に説明する。なお、説明の重複を避けるため、実施の形態１と同じ構成要素については、同符号を付して、その説明を省略する。以下、各変形例においても、同様である。
【００６７】
１．照明装置１００の構成
照明装置１００の構成について、図７（ａ），（ｂ）および図８を用いて説明する。図７（ａ）は、照明装置１００を示す正面側から見た一部分解斜視図である。図７（ｂ）は、照明装置１００を示す背面側から見た一部分解斜視図である。図８は、照明装置１００を示す断面図である。
【００６８】
図７（ａ），（ｂ）に示すように、照明装置１００は、例えば、本体部５、電源回路ユニット１６０、端子台１７０、取付部材８０を備える。本体部５は、実施の形態１における装置本体４から電源回路ユニット６０を取り除いたのと同じ構成である。即ち、本体部５は、筐体１０、発光ユニット２０、反射板３０、導光板４０、カバー５０により構成されている。これらの各構成要素については、実施の形態１と同じであるので、図７（ａ），（ｂ）においては、本体部５の内部構成を示す分解図については図示を省略している。また、筐体１０およびカバー５０についても、実施の形態１に係る照明装置１と同じであり、照明装置１００の外観は、図１に示す照明装置１の外観と同じである。
【００６９】
（１）各部材の構成
照明装置１００の各部材のうち、照明装置１の部材とは異なるものについて、以下にその構成を説明する。
ｊ．端子台１７０
端子台１７０は、セラミックや樹脂などの電気絶縁性材料からなり、有底筒状であって、略円盤状の底面部１７０ａ、底面部１７０ａの周縁から下方に円筒状に立ち上がる側面部１７０ｂ、および底面部の下側に設けられた端子部１７１を有する。
【００７０】
底面部１７０ａには、その中央部に、上面１７０ａ１から下方に凹入する凹部である接続用空間１７０ａ２が形成されている。接続用空間１７０ａ２の側面１７０ａ２ａには、外部電源ｚ７０ａ２ａ１が形成されている。底面部１７０ａの下側であって、外部電源線側接続端子孔１７０ａ２ａ１に連通して側面部１７０ｂとの間に、端子部１７１が設けられている。端子部１７１の下面１７１ａ１には、コネクタ側接続端子孔１７１ａ１ａが形成されている。
【００７１】
側面部１７０ｂの一部には、実施の形態１における端子台７０の側面部７０ｂと同様に、内側に直線的に凹入したような形状の凹入側面部分１７０ｂ１が形成されており、凹入側面部分１７０ｂ１の一部は切り欠かれて切欠き部分１７０ｂ２が形成されている。
ｋ．電源回路ユニット１６０
電源回路ユニット１６０は、回路基板１６１、回路部品６２、リード線６３、コネクタ６４などを有する。
【００７２】
回路基板１６１は、主に以下の３点において、実施の形態１に係る回路基板６１とは異なっている。即ち、コネクタ６４が回路基板１６１の中央部近傍ではなく周縁部近傍に立設されている点、開口部６１ａに相当する開口を有していない点、およびこれらに伴い、回路基板１６１上の回路部品６２の配置や配線パターンが異なる点の３点である。これら３点において異なる以外は、基本的な構成は、回路基板６１と同じである。回路基板１６１は、回路基板６１の切欠き部６１ｂに相当する切欠き部１６１ｂを有する。コネクタ６４は、切欠き部１６１ｂおよび端子台１７０の凹入側面部分１７０ｂ１により位置決めがなされた場合に、回路基板１６１上においてコネクタ側接続端子孔１７１ａ１ａに対応した位置に立設されている。
【００７３】
ｌ．外部電源線１０３
外部電源線１０３は、照明装置１００を構成する部材ではないが、その概略構成について説明する。
外部電源線１０３は、外部電源線本体部３ａおよび二股部１０３ｂからなる。二股部１０３ｂは、およそ９０度曲げられた形状をしており、その先端には、露出した金属ピンである先端部分１０３ｂ１が設けられている。先端部分１０３ｂ１の先端部分１０３ｂ１以外の部分は、ある程度の可撓性を有する。外部電源線本体部３ａおよび、二股部１０３ｂの先端部分１０３ｂ１以外の部分は、樹脂などの電域絶縁性の被覆部材により被覆されている。
【００７４】
２．電気的接続
続いて、端子部１７１の構成、コネクタ６４と端子部１７１との電気的接続方法、外部電源線１０３と端子部１７１との電気的接続方法について、以下に説明する。
図９（ａ）は、コネクタ６４が端子部１７１に接続される前の状態を示す、照明装置１００の一部切欠き斜視断面図である。図９（ｂ）は、コネクタ６４が端子部１７１に接続された状態を示す、照明装置１００の一部切欠き斜視断面図である。図１０（ａ）は、外部電源線１０３が端子部１７１に接続される前の状態を示す、照明装置１００の一部切欠き斜視断面図である。図１０（ｂ）は、外部電源線１０３が端子部１７１に接続された状態を示す、照明装置１００の一部切欠き斜視断面図である。なお、図９（ａ），図９（ｂ），図１０（ａ），図１０（ｂ）においては、電源回路ユニット１６０、外部電源線１０３、および端子部１７１については、断面としていない。また、わかりやすくするために、回路部品６２については、主要なもののみを示している。
【００７５】
端子部１７１は、底面部１７０ａの下側において、側面１７０ａ２ａの外部電源線側接続端子孔１７０ａ２ａ１が設けられている部分と側面部１７０ｂとの間に配されており、樹脂などの電気絶縁性の材料からなる接続端子保持部分１７１ａと、金属等の導電性の材料から形成され、接続端子保持部分１７１ａに保持された接続端子７１ｂとからなる。
接続端子保持部分１７１ａは主に、平板領域１７１ａａ、平板領域１７１ａａの一部が下方に凹入した下方凹入領域１７１ａｂおよび、平板領域１７１ａａ上に立設された横断面Ｃ形状の柱状部材である柱状領域１７１ａｃからなる。下方凹入領域１７１ａｂの底面には、コネクタ側接続端子孔１７１ａ１ａが設けられており、コネクタ側接続端子孔１７１ａ１ａに臨む状態で、接続端子１７１ｂのコネクタ側接続端子部分１７１ｂ１が下方凹入領域１７１ａｂ内に保持されている。そして、外部電源線側接続端子孔１７０ａ２ａ１に臨む位置に外部電源線側接続端子部分１７１ｂ２が配される態様で柱状領域１７１ａｃにより固定され、平板領域１７１ａａと底面部１７０ａとの間に外部電源線側接続端子部分１７１ｂ２が保持収容されている。なお、底面部１７０ａの外部電源線側接続端子部分１７１ｂ２が保持されている部分の一部が下方に突出して突出部１７０ａ３が形成されており、突出部１７０ａ３が柱状領域１７１ａｃのＣの内側に嵌り込むことにより、柱状領域１７１ａｃが固定されている。
【００７６】
なお、端子台１７０の接続端子１７１ｂ以外の部分、即ち、底面部１７０ａ、側面部１７０ｂ、および接続端子保持部分１７１ａにより蓋体１７５が構成される。蓋体１７５の上面１７５ａは、底面部１７０ａの上面１７０ａ１である。なお、上面１７５ａに、接続用空間１７０ａ２の底面１７０ａ２ｂを含めてもよい。
接続端子１７１ｂは、コネクタ側接続端子部分１７１ｂ１、外部電源線側接続端子部分１７１ｂ２、およびコネクタ側接続端子部分１７１ｂ１と外部電源線側接続端子部分１７１ｂ２とを連結している連結部分１７１ｂ３から一体的に構成されている。
【００７７】
本実施の形態において、端子部１７１は、一対の接続端子１７１ｂを有する。各接続端子１７１ｂは、例えば銅板等の１枚の金属板を加工して形成されている。
コネクタ側接続端子部分１７１ｂ１は、弾性を有する板ばね状のコネクタ側板ばね領域１７１ｂ１ａおよび、コネクタ側板ばね領域１７１ｂ１ａに対向配置されたコネクタ側受け領域１７１ｂ１ｂを有する。
【００７８】
また、外部電源線側接続端子部分１７１ｂ２は、弾性を有する板ばね状の外部電源線側板ばね領域１７１ｂ２ａおよび、外部電源線側板ばね領域１７１ｂ２ａに対向配置された外部電源線側受け領域１７１ｂ２ｂを有する。
柱状領域１７１ａｃは、一対の接続端子１７１ｂの間に配され、双方を分離するセパレータの役割を果たしている。即ち、柱状領域１７１ａｃは、各接続端子１７１ｂを固定する役割に加え、一対の接続端子１７１ｂ間の電気的絶縁性を確保する役割も果たしている。
【００７９】
なお、側面１７０ａ２ａの外部電源線側接続端子孔１７０ａ２ａ１が設けられている部分、並びに、当該部分に対応する底面部１７０ａの部分（突出部１７０ａ３を含む）および側面部１７０ｂの部分は、接続端子保持部分１７１ａの一部を構成すると捉えることも可能である。
電源回路ユニット６０と端子台７０とが組み付けられる際に、コネクタ６４がコネクタ側接続端子孔１７１ａ１ａから端子部１７１内部に挿入されると、図９（ｂ）に示すように、コネクタ６４が、コネクタ側接続端子部分１７１ｂ１と接触し、双方が電気的に接続される。このとき、コネクタ６４が、コネクタ側接続端子部分１７１ｂ１のコネクタ側板ばね領域１７１ｂ１ａとコネクタ側受け領域１７１ｂ１ｂとの間に、コネクタ側板ばね領域１７１ｂ１ａを押しのけるように挿入されるため、コネクタ側板ばね領域１７１ｂ１ａは、自身の弾性力によりコネクタ６４に弾性接触している。これにより、コネクタ６４とコネクタ側接続端子部分１７１ｂ１との接触がより確実なものとなり、双方の電気的接続をより確実なものとすることができる。また、このとき、コネクタ側板ばね領域１７１ｂ１ａとコネクタ側受け領域１７１ｂ１ｂとにより、コネクタ６４が挟持された状態となっている。なお、コネクタ側受け領域１７１ｂ１ｂが弾性を有してもよい。
【００８０】
次に、外部電源線１０３と外部電源線側接続端子部分１７１ｂ２との接続について説明する。図１０（ａ），（ｂ）に示すように、外部電源線１０３の先端部分１０３ｂ１が外部電源線側接続端子孔１７０ａ２ａ１から端子部１７１内部に挿入されると、先端部分１０３ｂ１が外部電源線側接続端子部分１７１ｂ２と接触し、双方が電気的に接続される。このとき、コネクタ６４の場合と同様に、先端部分１０３ｂ１が、外部電源線側接続端子部分１７１ｂ２の外部電源線側板ばね領域１７１ｂ２ａと外部電源線側受け領域１７１ｂ２ｂとの間に、外部電源線側板ばね領域１７１ｂ２ａを押しのけるように挿入されるため、外部電源線側板ばね領域１７１ｂ２ａは、自身の弾性力により先端部分１０３ｂ１に弾性接触している。これにより、双方の電気的接続をより確実なものとすることができる。またこのとき、外部電源線側板ばね領域１７１ｂ２ａと外部電源線側受け領域１７１ｂ２ｂとにより、先端部分１０３ｂ１が挟持された状態となっている。なお、外部電源線側受け領域１７１ｂ２ｂが弾性を有してもよい。
【００８１】
さらにこのとき、端子台１７０が接続用空間１７０ａ２を有していることにより、先端部分１０３ｂ１と外部電源線側接続端子部分１７１ｂ２とを接続する際の作業スペースとして接続用空間１７０ａ２が機能し、接続作業を容易に行うことが可能である。
このようにして、接続端子１７１ｂを介して、外部電源線１０３とコネクタ６４とが電気的に接続される。
【００８２】
３．得られる効果
以上説明したように、実施の形態２に係る照明装置１００の構成によっても、実施の形態１に係る照明装置１の場合と同様の効果が得られる。即ち、ピン状のコネクタ６４をコネクタ側接続端子孔１７１ａ１ａに差し込むだけで、コネクタ６４と接続端子１７１ｂとの電気的接続を行うことができる。これにより、リード線などを用いて接続する場合と比較して、作業が容易で作業効率の向上を図ることが可能である。
【００８３】
また、実施の形態１に係る照明装置１と同様に、接続後のリード線を収容するためのスペースが不要であるため、その分、照明装置１００の小型化に資することができる。
さらに、蓋体１７５は、上面１７５ａおよび上面１７５ａから下方に凹入する凹部または上下方向に貫通する貫通孔である接続用空間１７０ａ２（実施の形態２においては、接続用空間１７０ａ２は、凹部である。）を有してもよい。接続用空間１７０ａ２の側面１７０ａ２ａには、開口である外部電源線側接続端子孔１７０ａ２ａ１が設けられていてもよい。接続端子１７１ｂは、外部電源線側接続端子部分１７１ｂ２が側面１７０ａ２ａの開口である外部電源線側接続端子孔１７０ａ２ａ１に臨んだ状態で、蓋体１７５に固定されていてもよい。
【００８４】
本実施の形態に係る照明装置１００においては、外部電源線側接続端子孔１７０ａ２ａ１は、接続用空間１７０ａ２の側面１７０ａ２ａに設けられており、横方向（上下方向と略直交する方向）に向けて開口している。従って、外部電源線１０３の先端部分１０３ｂ１は外部電源線側接続端子孔１７０ａ２ａ１に横方向に挿入される。そしてこのとき、先端部分１０３ｂ１と外部電源線側接続端子部分１７１ｂ２とが接触して、接続端子１７１ｂと外部電源線１０３との間の電気的接続がなされる。
【００８５】
先端部分１０３ｂ１と外部電源線側接続端子部分１７１ｂ２とが接触した状態において、先端部分１０３ｂ１は、横に寝た状態で端子台１７０内部に収容されている。これにより、実施の形態１に係る照明装置１のように、先端部分３ｂ１が縦になった状態で端子台７０内部に収容される構成と比較して、端子台１７０の厚さ（上下方向（Ｚ軸方向）の長さ）をさらに低減して、照明装置１００の薄型化により資することができる。
【００８６】
さらに、本実施の形態においては、端子台１７０が接続用空間１７０ａ２を有しており、先端部分１０３ｂ１を外部電源線側接続端子孔１７０ａ２ａ１に挿入する際に、接続用空間１７０ａ２をその作業スペースとして利用することができるため、作業が容易である。
またさらに、端子台１７０が接続用空間１７０ａ２を有していることにより、照明装置１００を天井に取り付ける際に、外部電源線１０３の天井２から露出している部分を収納するスペースとしても接続用空間１７０ａ２が機能することができる。これにより、照明装置１００を天井２にぴったりくっつけて設置することができ、昆虫や異物の侵入を防ぐことができるとともに、美観の面でも良好である。
【００８７】
＜変形例＞
以上、本発明の一態様である実施の形態１および実施の形態２を説明したが、本発明はこれらに限られない。以下に、本発明の一態様に係る照明装置の変形例について図面を参照しながら説明する。なお、既に説明した部材と同じ部材が使用されている場合は、その部材と同じ符号を付して説明を簡略又は省略している。また、各図面における部材の縮尺は実際のものとは異なる場合がある。
【００８８】
上記実施の形態１に係る照明装置１及び実施の形態２に係る照明装置１００では、コネクタ６４が四角柱状のピンであったが、本発明はこれに限られない。
１．変形例１
図１１（ａ）は、変形例１に係るコネクタ２６４を示す模式斜視図である。コネクタ２６４は、円柱状のピンであり、形状が異なる点以外は、材料など基本的な構成は、実施の形態１および実施の形態２に係るコネクタ６４と同じである。
【００８９】
なお、図１１（ａ）においては、回路基板については図示を省略している。以下、図１１（ｂ）〜（ｅ）においても、同様である。
２．変形例２
図１１（ｂ）は、変形例２に係るコネクタ３６４及びコネクタベース３６５を示す模式斜視図である。コネクタ３６４は、板状の部材であり、形状が異なる点以外は、材料など基本的な構成は、実施の形態１および実施の形態２に係るコネクタ６４と同じである。
【００９０】
コネクタベース３６５は、サイズが異なる点以外は、材料や機能など基本的な構成は、実施の形態１および実施の形態２に係るコネクタベース６５と同じである。
３．変形例３
実施の形態１，２および変形例１，２においては、コネクタは回路基板に一対立設されていたが、これに限られない。
【００９１】
図１１（ｃ）は、変形例３に係るコネクタ４６４及びコネクタベース４６５を示す模式斜視図である。コネクタ４６４は、柱軸（ここでは、上下方向であって、回路基板と直交する方向である）に直交する平面による断面がＸ字状の柱状部材であり、１本の柱状部材が回路基板（不図示）に立設されている。コネクタ４５４は、金属等の導電性の材料からなる角柱状の一対の導電性部分４６４ａと、樹脂等の電気絶縁性の材料からなり、一対の導電性部分４６４ａ間に介在する板状の電気絶縁性部分４６４ｂとから構成されている。
【００９２】
コネクタベース４６５は、サイズが異なる点以外は、材料や機能など基本的な構成は、実施の形態１および実施の形態２に係るコネクタベース６５と同じである。
４．変形例４
図１１（ｄ）は、変形例４に係るコネクタ５６４及びコネクタベース５６５を示す模式斜視図である。コネクタ５６４は、四角柱状のピンであり、３本のピンが回路基板（不図示）に立設されている。
【００９３】
コネクタベース５６５は、サイズが異なる点以外は、材料や機能など基本的な構成は、実施の形態１および実施の形態２に係るコネクタベース６５と同じである。
なお、３本のピンのうち、１つはアース用であってもよいし、何ら電気的な機能を果たさなくてもよい。
５．変形例５
図１１（ｅ）は、変形例５に係るコネクタ６６４及びコネクタベース６６５を示す模式斜視図である。コネクタ６６４は、一本の円柱状の部材であり、回路基板（不図示）に立設されている。コネクタ６６４は、金属箔等の導電性の材料からなる一対の導電性部分６６４ａと、樹脂等の電気絶縁性の材料からなる円柱状の電気絶縁性部分６６４ｂとから構成されている。導電性部分６６４ａは、互いに離間した状態で、電気絶縁性部分６６４ｂの周面に貼付されている。
【００９４】
コネクタベース５６５は、サイズが異なる点以外は、材料や機能など基本的な構成は、実施の形態１および実施の形態２に係るコネクタベース６５と同じである。
６．その他の変形例
上記実施の形態２に係る照明装置１００では、接続用空間１７０ａ２は、凹部であったが、これに限られず、貫通孔であってもよい。この場合においても、先端部分１０３ｂ１と外部電源線側接続端子部分１７１ｂ２とを接続する際の作業スペースとして貫通孔が機能し、接続作業を容易に行うことが可能である。また、貫通孔の側面に外部電源線側接続端子孔が設けられることにより、照明装置の薄型化に資することができる。
【００９５】
上記実施の形態１及び２、変形例１〜５に係る照明装置では、コネクタベースの外観形状は、直方体であったが、これに限られず、立方体、円柱、楕円柱、円柱または楕円柱を軸に沿って半分に切断した形状、半球、ドーム状などであってもよい。
また、上記実施の形態１及び２に係る照明装置では、コネクタ側接続端子部分７１ｂ１，１７１ｂ１は、コネクタ側板ばね領域７１ｂ１ａ，１７１ｂ１ａを有し、コネクタ側板ばね領域７１ｂ１ａ，１７１ｂ１ａ自身の弾性力により、コネクタ６４に弾性接触していた。また、外部電源線側接続端子部分７１ｂ２，１７１ｂ２は、外部電源線側板ばね領域７１ｂ２ａ，１７１ｂ２ａを有し、外部電源線側板ばね領域７１ｂ２ａ，１７１ｂ２ａ自身の弾性力により、先端部分３ｂ１，１０３ｂ１に弾性接触していた。しかし、これらに限られない。
【００９６】
コネクタ側接続端子部分および外部電源線側接続端子部分が、外部の付勢力を受けてそれぞれコネクタおよび外部電源線の先端部分と密に接触する構成であってもよい。外部の付勢力は、例えば、つるまきばねなどによる付勢力であってもよい。
また、上記実施の形態１及び２、変形例１〜７においては、コネクタは回路基板に立設された柱状の突起であって、接続端子側に挿入されてコネクタ側接続端子部分と接続される構成であったが、これに限られない。コネクタ側接続端子部分が突起であって、コネクタ側に挿入されて接続される構成であってもよい。さらに、突起の形状も柱状に限られず、円錐や角錐、半球、ドーム状などであってもよい。
【００９７】
またさらに、安定した電気的接続を確保することができるのであれば、コネクタおよびコネクタ側接続端子部分の双方が突起であってもよいし、双方が板バネ等の弾性を有する部材であってもよい。
また上記実施の形態１及び２に係る照明装置では、筐体の基台部が円形平板状であったが、円形に限られず、例えば多角形や楕円形などであってもよい。また、基台部は主面が完全に平坦な平板状に限られず、主面に開口や多少の凹凸が存在してもよい。
【００９８】
また、上記実施の形態１及び２に係る照明装置では、筐体の回路収容部が円筒状であったが、これに限られず、基台部の主面から立ち上がる筒状であればよく、例えば内部に空間を有する多角柱状や楕円柱状などであってもよい。
また、上記実施の形態１及び２に係る照明装置では、複数の発光部が、円環状に配置されていたが、これに限られず、例えば多角形の環状や、楕円の環状に配置されていてもよい。さらに、複数の発光部がなす環が複数配置されていてもよい。
【００９９】
また、上記実施の形態１及び２に係る照明装置では、発光部として、白色光を発するＬＥＤを例示したが、これに限られず、例えば、白色光以外の光を発するＬＥＤであってもよいし、複数の発光部が異なる色を発してもよい。さらに、調光回路を追加して、外部からの信号によって、例えば昼光色、昼白色、白色、温白色、電球色など、発光色を変化することができる構成としてもよい。
【０１００】
また、ＬＥＤとして表面実装型のものを例示したが、これに限られず、砲弾型のＬＥＤであってもよいし、基板上にＬＥＤチップを直接実装するもの（ＣＯＢ：Ｃｈｉｐ  Ｏｎ  Ｂｏａｒｄ）であってもよい。ＣＯＢタイプのＬＥＤの場合は、複数のＬＥＤを環状やドーム状の樹脂で覆って一体としてもよい。
また、発光部の光源はＬＥＤ以外に、ＬＤ（レーザダイオード）や、ＥＬ（エレクトロルミネセンス）素子であってもよい。さらに、これら発光部の数に限定はない。
【０１０１】
また、上記実施の形態１及び２に係る照明装置では、断熱部材の一態様として六角形の平板状の断熱板を例示したが、これに限られない。例えば、断熱部材は、六角形ではなく、円形であってもよいし、六角形以外の多角形であってもよい。また、平板状ではなく、開口や表面に凹凸がある形状などであってもよい。また、独立した部材ではなく、筐体又は電源回路ユニットの基板にコーティングされた薄膜などであってもよい。
【０１０２】
また、上記実施の形態及び変形例に係る照明装置では、端子台の一態様として底面部が円形かつ側面部が円筒状であって、端子部を備えた構成を例示したが、これに限られない。例えば、底面部が多角形や楕円形などであってもよい。また、例えば、側面部が多角形や楕円形の筒状などであってもよい。
また、上記実施の形態１及び２に係る照明装置では、回路収容部１２の上端側開口は、取付部材８０により閉塞される構成について例示したが、これに限られない。例えば、端子台７０により上端側開口１２ａが閉塞される構成であってもよい。
【０１０３】
以上、本発明の態様を、上記実施の形態及び変形例に基づいて説明したが、本発明は上記実施の形態及び変形例に限られない。例えば、上記実施の形態及び変形例の部分的な構成を、適宜組み合わせてなる構成であっても良い。また、上記実施の形態に記載した材料、数値等は好ましいものを例示しているだけであり、それらに限定されることはない。さらに、本発明の技術的思想の範囲を逸脱しない範囲で、構成に適宜変更・追加・削除を加えることは可能である。本発明は、照明用途全般に広く利用可能である。
【符号の説明】
【０１０４】
１，１００  照明装置
３，１０３  外部電源線
４，１０４  装置本体
１０  筐体
１２ａ  上端側開口
２０  発光ユニット
２２  発光部（半導体発光素子，ＬＥＤ）
６０，１６０  電源回路ユニット
６１，１６１  回路基板
６１ｂ，１６１ｂ  切欠き部
６４  コネクタ
７０，１７０  端子台
７５，１７５  蓋体
７５ａ，１７５ａ  上面（蓋体の上面）
７０ｂ，１７０ｂ  側面部（筒壁）
７０ｂ１，１７０ｂ１  凹入側面部分
７１ａ，１７１ａ  接続端子保持部分
７１ａ２ａ，１７１ａ２ａ１  外部電源線側接続端子孔（開口）
７１ｂ，１７１ｂ  接続端子
７１ｂ１，１７１ｂ１  コネクタ側接続端子部分
７１ｂ２，１７１ｂ２  外部電源線側接続端子部分
１７０ａ２  接続用空間
１７０ａ２ａ  側面
【図１】
2015076123.tif 000003
【図２】
2015076123.tif 000004
【図３】
2015076123.tif 000005
【図４】
2015076123.tif 000006
【図５】
2015076123.tif 000007
【図６】
2015076123.tif 000008
【図７】
2015076123.tif 000009
【図８】
2015076123.tif 000010
【図９】
2015076123.tif 000011
【図１０】
2015076123.tif 000012
【図１１】
2015076123.tif 000013